(57)【特許請求の範囲】
【請求項１】
第一方向に並ぶ複数の蓄電素子と、
隣り合う前記蓄電素子の間に配置される少なくとも一つのスペーサと、
第一方向と直交する第二方向において前記蓄電素子及び前記スペーサと対向する本体部であって、取り付けの対象機器に対して直接又は間接に固定される本体部を有する対向部材と、を備え、
前記対向部材は、前記本体部から前記複数の蓄電素子のうちの一部の蓄電素子及び前記スペーサの少なくとも一方に沿って延び且つこの一部の蓄電素子及びスペーサの少なくとも一方に対して第一方向及び第二方向と直交する第三方向に押し付けられた延出部を有し、
前記延出部における前記蓄電素子又は前記スペーサに押し付けられている部位は、該蓄電素子又は該スペーサの一部と第一方向において対向している、蓄電装置。
【請求項２】
前記スペーサを複数備え、
第一方向の異なる位置に配置された二つの前記スペーサのそれぞれは、前記延出部の押し付けられる方向に突出する凸部を有し、
前記延出部は、前記二つのスペーサの凸部間に配置される、請求項１記載の蓄電装置。
【請求項３】
前記延出部及び前記スペーサの一方は、前記延出部の押し付けられる方向に窪む凹部を有し、
前記延出部及び前記スペーサの他方は、前記延出部の押し付けられる方向に延びて前記凹部に入り込む凸部を有する、請求項１に記載の蓄電装置。
【請求項４】
前記延出部及び前記スペーサの一方は、前記延出部の延びる方向に窪む凹部を有し、
前記延出部及び前記スペーサの他方は、前記延出部の押し付けられる方向に延びて前記凹部に入り込む凸部を有する、請求項１に記載の蓄電装置。
【請求項５】
第一方向において前記複数の蓄電素子を挟む一対の終端部材と、
前記一対の終端部材を連結する導電性部材と、を備え、
前記対向部材は、前記導電性部材と前記スペーサ及び前記蓄電素子との間に配置される絶縁材であり、且つ前記導電性部材と係合している、請求項１乃至４の何れか１項に記載の蓄電装置。
【請求項６】
第一方向に並ぶ三つ以上の蓄電素子と、
第一方向と直交する第二方向において前記蓄電素子と対向する本体部であって、取り付けの対象機器に対して直接又は間接的に固定される本体部を有する対向部材と、を備え、
前記対向部材は、前記本体部から前記三つ以上の蓄電素子のうちの一部の蓄電素子に沿って延び且つこの一部の蓄電素子に対して第一方向及び第二方向と直交する第三方向に押し付けられた延出部を有し、
前記延出部における前記蓄電素子に押し付けられている部位は、少なくとも前記三つ以上の蓄電素子のうちの第一方向の両端に配置された蓄電素子を除く一部の蓄電素子と第一方向において対向している、蓄電装置。
【請求項７】
第一方向に並ぶ複数の蓄電素子と、
それぞれが隣り合う前記蓄電素子の間に配置される複数のスペーサと、
第一方向と直交する第二方向において前記蓄電素子及び前記スペーサと対向する本体部であって、取り付けの対象機器に対して直接又は間接に固定される本体部を有する対向部材と、を備え、
前記対向部材は、前記本体部から前記蓄電素子及び前記スペーサの少なくとも一方に沿って延び、且つこの蓄電素子及びスペーサの少なくとも一方に押し付けられた状態で前記スペーサの一部と第一方向において対向する延出部を有し、
第一方向の異なる位置に配置された二つの前記スペーサのそれぞれは、前記延出部の押し付けられる方向に突出する凸部を有し、
前記延出部は、前記二つのスペーサの凸部間に配置される、蓄電装置。
【発明の詳細な説明】
【技術分野】
【０００１】
本発明は、複数の蓄電素子を備える蓄電装置に関する。
【背景技術】
【０００２】
従来から、複数の電池セルを備えた電池モジュールが知られている（特許文献１参照）。具体的に、この電池モジュールは、複数並べて積層される電池セルと、前記電池セルの間に配置され且つ隣り合う二つを組み合わせることによって前記電池セルを納めるセルホルダと、前記セルホルダを前記電池セルの積層方向にスライド移動可能に支持するガイド部材と、を備える。
【０００３】
前記電池モジュールでは、前記電池セルを納めた状態の前記セルホルダが前記電池セルの積層方向にスライド移動可能であるため、該電池モジュールに前記積層方向の加速度が生じると、該積層方向の端部に配置された電池セルに、他の電池セルのそれぞれに生じた慣性力等の前記加速度に起因する力が加わる。このため、前記電池モジュールでは、前記電池セルの積層数（前記積層方向に並ぶ電池セルの数）が大きくなると、前記端部に配置された電池セルの剛性を強化する等が必要になり、これにより、蓄電モジュールの大型化、蓄電モジュールの重量の増加等が生じる。
【先行技術文献】
【特許文献】
【０００４】
【特許文献１】特開２０１５−５３６２号公報
【発明の概要】
【発明が解決しようとする課題】
【０００５】
そこで、本発明は、第一方向に並ぶ複数の蓄電素子を備えていても、加速度が生じたときの第一方向の端部に配置された蓄電素子に加わる前記加速度に起因する力を抑えることができる蓄電装置を提供することを課題とする。
【課題を解決するための手段】
【０００６】
本発明に係る蓄電装置は、
第一方向に並ぶ複数の蓄電素子と、
隣り合う前記蓄電素子の間に配置される少なくとも一つのスペーサと、
第一方向と直交する第二方向において前記蓄電素子及び前記スペーサと対向する本体部を有し、該本体部が取り付けの対象機器に対して直接又は間接に固定される対向部材と、を備え、
前記対向部材は、前記本体部から前記蓄電素子及び前記スペーサの少なくとも一方に沿って延び、且つこの蓄電素子及びスペーサの少なくとも一方に押し付けられた状態で前記スペーサの一部と第一方向において対向する延出部を有する。
【０００７】
かかる構成によれば、蓄電装置に第一方向の加速度（加速度成分）が生じたときに、第一方向に対向する延出部とスペーサの一部とが当接する（又は当接している）ことで、延出部と当接する（又は当接している）スペーサより加速度方向側に配置された蓄電素子によって生じる力（例えば、慣性力）を対向部材に受けさせるとこができ、これにより、第一方向の端部に配置された蓄電素子に加わる前記加速度に起因する力を抑えることができる。尚、本発明において、加速度方向とは、正（プラス）の加速度の向きをいう。
【０００８】
しかも、延出部が蓄電素子及びスペーサの少なくとも一方に押し付けられているため、加速度が生じたときに、延出部が、押し付けられている蓄電素子及びスペーサの少なくとも一方から離間する方向にずれ難く、これにより、該蓄電装置に第一方向の加速度が生じたときに、延出部と第一方向に当接する（又は当接している）スペーサの一部から該延出部が外れ難い。
【０００９】
前記蓄電装置は、
前記スペーサを複数備え、
第一方向の異なる位置に配置された二つの前記スペーサのそれぞれは、前記延出部の押し付けられる方向に突出する凸部を有し、
前記延出部は、前記二つのスペーサの凸部間に配置されてもよい。
【００１０】
かかる構成によれば、蓄電装置において第一方向における一方側及び他方側のいずれに向いた加速度が生じても、延出部が第一方向の両側に配置される凸部のいずれかと当接する（又は当接している）ため、前記延出部と当接する（又は当接している）スペーサより加速度方向側に配置された蓄電素子によって生じる前記加速度に起因する力を、対向部材に受けさせることができる。
【００１１】
また、前記蓄電装置では、
前記延出部及び前記スペーサの一方は、前記延出部の押し付けられる方向に窪む凹部を有し、
前記延出部及び前記スペーサの他方は、前記延出部の押し付けられる方向に延びて前記凹部に入り込む凸部を有してもよい。
【００１２】
かかる構成によれば、蓄電装置において第一方向における一方側及び他方側のいずれに向いた加速度が生じても、凹部に入り込んだ凸部が第一方向において該凹部の内面と当接する（又は当接している）ため、延出部の凸部が入り込む凹部（又は延出部の凹部に入り込む凸部）を有するスペーサより加速度方向側に配置された蓄電素子によって生じる前記加速度に起因する力を、対向部材に受けさせることができる。
【００１３】
また、前記蓄電装置では、
前記延出部及び前記スペーサの一方は、前記延出部の延びる方向に窪む凹部を有し、
前記延出部及び前記スペーサの他方は、前記延出部の押し付けられる方向に延びて前記凹部に入り込む凸部を有してもよい。
【００１４】
かかる構成によれば、蓄電装置において第一方向における一方側及び他方側のいずれに向いた加速度が生じても、凹部に入り込んだ凸部が第一方向において該凹部の内面と当接する（又は当接している）ため、延出部の凸部が入り込む凹部（又は延出部の凹部に入り込む凸部）を有するスペーサより加速度方向側に配置された蓄電素子によって生じる前記加速度に起因する力を、対向部材に受けさせることができる。
【００１５】
前記蓄電装置は、
第一方向において前記複数の蓄電素子を挟む一対の終端部材と、
前記一対の終端部材を連結する導電性部材と、を備え、
前記対向部材は、前記導電性部材と、前記スペーサ及び前記蓄電素子との間に配置される絶縁材であり、且つ前記導電性部材と係合してもよい。
【００１６】
かかる構成によれば、第一方向が略水平方向となり、且つ延出部が略上方に向けて蓄電素子及びスペーサの少なくとも一方に押し付けられる姿勢で蓄電装置が配置されたときに、第一方向に並ぶ複数の蓄電素子のうちの途中位置にある蓄電素子が延出部によって直接又は間接に下方から支持され、これにより、一対の終端部材によって挟まれた蓄電素子の列（第一方向に並ぶ複数の蓄電素子）の途中位置の下方への垂れを防ぐことができる。
【００１７】
また、本発明に係る蓄電装置は、
第一方向に並ぶ三つ以上の蓄電素子と、
第一方向と直交する第二方向において前記蓄電素子と対向する本体部を有し、該本体部が取り付けの対象機器に対して直接又は間接的に固定される対向部材と、を備え、
前記対向部材は、前記本体部から前記蓄電素子に沿って延び、且つこの蓄電素子に押し付けられた状態で、少なくとも前記三つ以上の蓄電素子のうちの第一方向の両端に配置された蓄電素子を除く蓄電素子の一部と第一方向において対向する延出部を有する。
【００１８】
かかる構成によれば、蓄電装置に第一方向の加速度（加速度成分）が生じたときに、第一方向に対向する延出部と、少なくとも前記三つ以上の蓄電素子のうちの第一方向の両端に配置された蓄電素子を除く蓄電素子の一部が当接する（又は当接している）ことで、延出部と当接する（又は当接している）蓄電素子及び該蓄電素子より加速度方向側に配置された蓄電素子によって生じる力（例えば、慣性力）を、対向部材に受けさせることができ、これにより、第一方向の端部に配置された蓄電素子に加わる前記加速度に起因する力を抑えることができる。
【００１９】
しかも、延出部が蓄電素子に押し付けられているため、加速度が生じたときに、延出部が、押し付けられている蓄電素子及びスペーサの少なくとも一方から離間する方向にずれ難く、これにより、該蓄電装置に第一方向の加速度が生じたときに、延出部と第一方向に当接する（又は当接している）蓄電素子の一部から該延出部が外れ難い。
【発明の効果】
【００２０】
以上より、本発明によれば、第一方向に並ぶ複数の蓄電素子を備えていても、加速度が生じたときの第一方向の端部に配置された蓄電素子に加わる前記加速度に起因する力を抑えることができる蓄電装置を提供することができる。
【図面の簡単な説明】
【００２１】
【図１】図１は、本実施形態に係る蓄電装置の斜視図である。
【図２】図２は、前記蓄電装置の分解斜視図である。
【図３】図３は、前記蓄電装置に配置される蓄電素子の斜視図である。
【図４】図４は、前記蓄電素子の分解斜視図である。
【図５】図５は、前記蓄電装置における内部スペーサを説明するための斜視図である。
【図６】図６は、前記蓄電装置の底面図である。
【図７】図７は、前記蓄電装置における外部スペーサを説明するための斜視図である。
【図８】図８は、前記蓄電素子及び前記内部スペーサが配置されていない状態の延出部及び舌片部を示す拡大断面図である。
【図９】図９は、前記蓄電素子及び前記内部スペーサが配置された状態の延出部及び舌片部を示す拡大断面図である。
【図１０】図１０は、他実施形態に係る凹部と該凹部に入り込む凸部とを説明するための図である。
【図１１】図１１は、他実施形態に係る凹部と該凹部に入り込む凸部とを説明するための図である。
【図１２】図１２は、他実施形態に係る蓄電装置において、蓄電素子及び内部スペーサが配置されていない状態の延出部及び舌片部を示す拡大断面図である。
【図１３】図１３は、他実施形態に係る蓄電装置において、蓄電素子及び内部スペーサが配置された状態の延出部及び舌片部を示す拡大断面図である。
【発明を実施するための形態】
【００２２】
以下、本発明の一実施形態について、図１〜図９を参照しつつ説明する。尚、本実施形態の各構成部材（各構成要素）の名称は、本実施形態におけるものであり、背景技術における各構成部材（各構成要素）の名称と異なる場合がある。
【００２３】
蓄電装置は、図１及び図２に示すように、所定の方向（第一方向）に並ぶ複数の蓄電素子１０と、隣り合う蓄電素子１０の間に配置される内部スペーサ（スペーサ）２Ａと、前記所定の方向と直交する方向（第二方向）において蓄電素子１０及び内部スペーサ２Ａと対向する本体部４０を有し、本体部４０が取り付け対象機器に対して直接又は間接に固定されるインシュレータ（対向部材）４と、を備える。また、蓄電装置１は、前記所定の方向における複数の蓄電素子１０の両側に配置される一対の外部スペーサ２Ｂと、複数の蓄電素子１０、複数の内部スペーサ２Ａ、一対の外部スペーサ２Ｂ、及びインシュレータ４をひとまとめに保持する保持部材３を備える。この保持部材３は、導電性部材により形成されている。このため、インシュレータ４は、蓄電素子１０と保持部材３との絶縁を図るために、絶縁性を有する絶縁材によって形成されている。また、蓄電装置１は、隣り合う二つの蓄電素子１０（詳しくは、隣り合う二つの蓄電素子１０の外部端子１３）同士を電気的に接続するバスバ５等も備える。
【００２４】
蓄電素子１０は、図３及び図４にも示すように、正極及び負極を含む電極体１１と、電極体１１を収容するケース１２と、ケース１２の外面上に配置された一対の外部端子１３とを備える。また、蓄電素子１０は、電極体１１と外部端子１３とを導通させる集電体１４、電極体１１とケース１２との間に配置される絶縁部材１５等も有する。
【００２５】
ケース１２は、開口を有するケース本体１２０と、ケース本体１２０の開口を閉じる蓋板１２１であって、外面上に一対の外部端子１３が配置される蓋板１２１とを有する。
【００２６】
ケース本体１２０は、矩形板状の閉塞部１２３と、閉塞部１２３を取り囲むように、該閉塞部１２３の周縁に接続された扁平な角筒状の胴部１２４と、を有する。
【００２７】
胴部１２４は、間隔をあけて互いに対向する一対の第一壁１２５と、一対の第一壁１２５を挟んで互いに対向する一対の第二壁１２６とを備える。
【００２８】
第一壁１２５及び第二壁１２６のそれぞれは、矩形状に形成される。第一壁１２５及び第二壁１２６は、互いの端縁を突き合わせた状態で配置される。そして、隣り合う第一壁１２５の端縁及び第二壁１２６の端縁同士は、全長に亘って接続される。これにより、胴部１２４は、角筒状に形成される。胴部１２４の一端は、閉塞部１２３によって閉塞され、他端は、開口する。この開口は、蓋板１２１によって閉塞される。
【００２９】
本実施形態において、第一壁１２５のＹ軸方向の長さは、第二壁１２６のＸ軸方向の長さより大きい。このため、胴部１２４は、扁平角筒状に形成される。
【００３０】
本実施形態の蓄電装置１では、複数の蓄電素子１０のそれぞれが、ケース１２の第一壁１２５を前記所定の方向に向けて整列している。
【００３１】
尚、以下の説明において、便宜上、蓄電素子１０の整列する方向（第一方向）を直交座標系におけるＸ軸方向とする。また、蓄電素子１０の整列する方向（Ｘ軸方向）と直交する二軸方向のうちの一つの方向（インシュレータ４と、蓄電素子１０及び内部スペーサ２Ａとが対向する方向：第二方向）を直交座標系におけるＹ軸方向とし、残りの一つの方向（第三方向）を直交座標系におけるＺ軸方向とする。
【００３２】
蓄電装置１は、隣り合う蓄電素子１０間に配置される内部スペーサ２Ａと、複数の蓄電素子１０のうちの最も端にある蓄電素子１０に隣り合う外部スペーサ２Ｂと、の二種類のスペーサを有する。本実施形態に係る蓄電装置１は、上述のように、複数の蓄電素子１０を備え、内部スペーサ２Ａは、隣り合う蓄電素子１０の間のそれぞれに配置されている。即ち、本実施形態の蓄電装置１は、複数の内部スペーサ２Ａを備える。また、本実施形態の蓄電装置１は、Ｘ軸方向において複数の蓄電素子１０の両側に配置される一対の外部スペーサ２Ｂを備える。
【００３３】
内部スペーサ２Ａは、図５及び図６に示すように、蓄電素子１０（ケース本体１２０の第一壁１２５）に隣り合うベース２０Ａと、該ベース２０Ａと隣り合う二つの蓄電素子１０のＹ−Ｚ面（Ｙ軸方向とＺ軸方向とを含む面）方向の位置ずれ（相対位置のずれ）を規制（防止）する規制部２１Ａとを有する。
【００３４】
ベース２０Ａは、Ｙ―Ｚ面方向に広がり且つ二つの蓄電素子１０に挟み込まれる部位である。このベース２０Ａは、隣り合う二つの蓄電素子１０のうちの一方の蓄電素子１０と対向する第一面と、該第一面とは反対側の第二面であって、二つの蓄電素子１０のうちの他方の蓄電素子１０と対向する第二面とを有する。
【００３５】
ベース２０Ａは、蓄電素子１０の蓋板１２１に対応する位置の第一端と、該第一端とは反対側の第二端であって、蓄電素子１０の閉塞部１２３に対応する位置の第二端とを有する。また、ベース２０Ａは、蓄電素子１０のＹ軸方向における一方の第二壁１２６に対応する位置の第三端と、該第三端とは反対側の第四端であって、蓄電素子１０のＹ軸方向における他方の第二壁１２６に対応する位置の第四端とを有する。第一端及び第二端は、Ｙ軸方向にそれぞれ延び、第三端及び第四端は、Ｚ軸方向にそれぞれ延びる。
【００３６】
ベース２０Ａは、該ベース２０Ａの第一端と第三端とが接続される部分である第一角部と、第一端と第四端とが接続される部分である第二角部とを有する。また、ベース２０Ａは、第二端と第三端とが接続される部分である第三角部と、第二端と第四端とのそれぞれが接続される部分である第四角部とを有する。
【００３７】
以上のベース２０Ａは、Ｘ軸方向視において略矩形状であり、隣り合う蓄電素子１０と略同等の大きさである。ベース２０Ａは、隣り合う蓄電素子１０との間に、流体（冷却用の流体）を通過させるための通風路を形成する。具体的には、以下の通りである。
【００３８】
ベース２０ＡのＸ−Ｚ面（Ｘ軸方向とＺ軸方向とを含む面）方向の断面形状は、矩形波形状である。より具体的に説明する。ベース２０Ａは、隣り合う二つの蓄電素子１０のうちの一方の蓄電素子１０のみに当接する第一当接部２００Ａと、隣り合う二つの蓄電素子１０のうちの他方の蓄電素子１０のみに当接する第二当接部２０１Ａと、第一当接部２００Ａと第二当接部２０１Ａとを接続する連接部２０２Ａと、を有する。
【００３９】
第一当接部２００Ａは、Ｙ−Ｚ方向に広がり且つＹ軸方向に長尺な矩形板状の部位である。第二当接部２０１Ａは、第一当接部２００ＡとＸ軸方向にずれた位置においてＹ−Ｚ方向に広がり且つＹ軸方向に長尺な矩形板状の部位である。ベース２０Ａは、複数の第一当接部２００Ａと、複数の第二当接部２０１Ａとを有する。そして、各第一当接部２００Ａと各第二当接部２０１Ａとは、Ｚ軸方向において交互に配置される。各連接部２０２Ａは、Ｘ軸方向に延び、且つ、第一当接部２００ＡのＺ軸方向の端部と、該端部とＸ軸方向において対向する第二当接部２０１ＡのＺ軸方向の端部とを接続する。
【００４０】
規制部２１Ａは、内部スペーサ２Ａに隣り合う二つの蓄電素子１０のＹ−Ｚ面に沿った相対移動を規制すべく、ベース２０Ａから、該ベース２０Ａの第一面と隣り合う蓄電素子１０と、該ベース２０Ａの第二面と隣り合う蓄電素子１０とに向かって延びる。
【００４１】
より具体的に説明する。規制部２１Ａは、ベース２０Ａの周縁における各角部を含む位置に形成される。規制部２１Ａは、ベース２０Ａの第一角部に形成される第一規制部２１１Ａと、ベース２０Ａの第二角部に形成される第二規制部２１２Ａと、ベース２０Ａの第三角部から第四角部にかけて形成される第三規制部２１３Ａと、を有する。
【００４２】
第一規制部２１１Ａは、ベース２０Ａの第一面に隣り合う蓄電素子１０と、ベース２０Ａの第二面に隣り合う蓄電素子１０とに向かって延び、ベース２０Ａの両側に配置される蓄電素子１０のそれぞれの蓋板１２１と胴部１２４の一方の第二壁１２６とに当接する。また、第二規制部２１２Ａは、ベース２０Ａの第一面に隣り合う蓄電素子１０と、ベース２０Ａの第二面に隣り合う蓄電素子１０とに向かって延び、ベース２０Ａの両側に配置される蓄電素子１０のそれぞれの蓋板１２１と胴部１２４の他方の第二壁１２６とに当接する。
【００４３】
第三規制部２１３Ａは、ベース２０Ａの第一面に隣り合う蓄電素子１０とベース２０Ａの第二面に隣り合う蓄電素子１０とに向かって延び、ベース２０Ａの両側に配置される蓄電素子１０の閉塞部１２３と胴部１２４の各第二壁１２６とにそれぞれ当接する。即ち、第三規制部２１３Ａは、ベース２０Ａの両側に配置される蓄電素子１０の閉塞部１２３側の端部に沿って、一方の第二壁１２６から閉塞部１２３を経て他方の第二壁１２６まで連続して延びている。具体的には、以下の通りである。
【００４４】
第三規制部２１３Ａは、蓄電素子１０の閉塞部１２３と対向する第一対向部２１４Ａと、胴部１２４の第二壁１２６と対向する第二対向部２１５Ａと、を有する。第一対向部２１４Ａは、ベース２０Ａの第二端のＹ軸方向の全域からＸ軸方向に延びている板状の部位であり、第二対向部２１５Ａは、ベース２０Ａの第三端（又は第四端）の閉塞部１２３側の端部からＸ軸方向に延びている板状の部位である。第一対向部２１４Ａの先端（Ｘ軸方向の先端）は、Ｙ軸方向の全域において、隣り合う内部スペーサ２Ａの第一対向部２１４Ａの先端と当接している。即ち、隣り合う一対の内部スペーサ２Ａの各第一対向部２１４Ａによって、該一対の内部スペーサ２Ａ間に配置された蓄電素子１０の閉塞部１２３が覆われている（図６参照）。
【００４５】
また、Ｘ軸方向に並ぶ複数の内部スペーサ２Ａのうちの中央位置（内部スペーサ２Ａが偶数の場合は、中央位置の二つの内部スペーサ２Ａのうちのいずれか一方）の内部スペーサ（中央位置スペーサ）２ＡＡを除く内部スペーサ２Ａは、第一対向部２１４Ａの蓄電素子１０と反対側の面からＺ軸方向に突出する凸部（スペーサの一部）２１４０Ａを有する。本実施形態の第一対向部２１４Ａ（中央位置スペーサ２ＡＡの第一対向部２１４Ａを除く）は、Ｙ軸方向の両端部に凸部２１４０Ａをそれぞれ有する。本実施形態の凸部２１４０Ａは、円柱（円盤）形状である。
【００４６】
外部スペーサ２Ｂは、蓄電素子１０（ケース本体１２０の第一壁１２５）に対向する第一面、及び該第一面とは反対側の第二面を有するベース２０Ｂと、該ベース２０Ｂと隣り合う蓄電素子１０のＹ−Ｚ面方向の位置ずれを規制する規制部２１Ｂとを有する。
【００４７】
また、本実施形態のベース２０Ｂは、保持部材３の終端部材３０と対向する。即ち、本実施形態の外部スペーサ２Ｂは、蓄電素子１０と終端部材３０との間に配置される。
【００４８】
外部スペーサ２Ｂは、ベース２０Ｂの第二面から終端部材３０に向けて突出し、且つ終端部材３０に当接する第一突出部２４Ｂを有する。また、外部スペーサ２Ｂは、ベース２０Ｂの第一面から蓄電素子１０に向けて突出し、且つ該蓄電素子１０に当接する第二突出部２０１Ｂを有する。
【００４９】
ベース２０Ｂは、Ｙ−Ｚ面方向に広がった板状に形成される。ベース２０Ｂは、蓄電素子１０の蓋板１２１に対応する位置に配置される第一端と、該第一端とは反対側の第二端であって、蓄電素子１０の閉塞部１２３に対応する位置に配置される第二端とを有する。また、ベース２０Ｂは、蓄電素子１０の一方の第二壁１２６に対応する位置に配置される第三端と、該第三端とは反対側の第四端であって、蓄電素子１０の他方の第二壁１２６に対応する位置に配置される第四端とを有する。
【００５０】
ベース２０Ｂは、第一端と第三端とが接続される部分である第一角部と、第一端と第四端とが接続される部分である第二角部とを有する。また、ベース２０Ｂは、第二端と第三端とが接続される部分である第三角部と、第二端と第四端とのそれぞれが接続される部分である第四角部とを有する。
【００５１】
尚、ベース２０Ｂの第一端及び第二端は、Ｙ軸方向にそれぞれ延び、第三端及び第四端は、Ｚ軸方向にそれぞれ延びる。これにより、ベース２０Ｂは、Ｘ軸方向視において、略矩形状である。また、ベース２０Ｂは、蓄電素子１０と略同等の大きさである。
【００５２】
ベース２０Ｂの第一面には、該ベース２０Ｂの第一面と蓄電素子１０との間に流体を通過させるための通風路が形成される。詳しくは、以下の通りである。
【００５３】
ベース２０Ｂは、上述のように、当該ベース２０Ｂの第一面から該ベース２０Ｂと隣り合う蓄電素子１０のケース１２（ケース本体１２０の第一壁１２５）に向かって延びる第二突出部２０１Ｂを有する。
【００５４】
第二突出部２０１Ｂは、Ｙ軸方向に延びる凸条である。本実施形態のベース２０Ｂは、複数の第二突出部２０１Ｂを有する。そして、複数の第二突出部２０１Ｂのそれぞれは、Ｚ軸方向に間隔をあけて配置される。これにより、ベース２０Ｂと、該ベース２０Ｂと隣り合う蓄電素子１０との間には、上述の通風路（採番しない）が形成される。
【００５５】
規制部２１Ｂは、ベース２０Ｂと、該ベース２０Ｂの第一面と隣り合う蓄電素子１０のＹ−Ｚ面方向の相対移動を規制すべく、前記隣り合う蓄電素子１０に向かって延びる。
【００５６】
より具体的に、規制部２１Ｂは、第一角部に形成される第一規制部２１１Ｂと、第二角部に形成される第二規制部２１２Ｂと、ベース２０Ｂの第三角部から第四角部にかけて形成される第三規制部２１３Ｂと、を有する。
【００５７】
第一規制部２１１Ｂ及び第二規制部２１２Ｂは、ベース２０Ｂの第一面と隣り合う蓄電素子１０に向かってそれぞれ延びる。第一規制部２１１Ｂは、ベース２０Ｂの第一面と隣り合う蓄電素子１０の蓋板１２１と胴部１２４の一方の第二壁１２６とに当接する。そして、第二規制部２１２Ｂは、ベース２０Ｂの第一面と隣り合う蓄電素子１０の蓋板１２１と胴部１２４の他方の第二壁１２６とに当接する。
【００５８】
第三規制部２１３Ｂは、ベース２０Ｂと隣り合う蓄電素子１０に向かって延びる。第三規制部２１３Ｂは、ベース２０Ｂの隣に配置される蓄電素子１０の閉塞部１２３と、胴部１２４の各第二壁１２６とに当接する。即ち、第三規制部２１３Ｂは、内部スペーサ２Ａの第三規制部２１３Ａと同様に、ベース２０Ｂの隣に配置される蓄電素子１０の閉塞部１２３側の端部に沿って、一方の第二壁１２６から閉塞部１２３を経て他方の第二壁１２６まで連続して延びている。
【００５９】
上述のように、第一突出部２４Ｂは、ベース２０Ｂから終端部材３０に向けて突出し、終端部材３０に当接している。これにより、蓄電装置１では、外部スペーサ２Ｂと、終端部材３０との間に隙間が形成されている。
【００６０】
以上の外部スペーサ２Ｂは、蓄電素子１０を介して該内部スペーサ２Ａと隣り合う。
【００６１】
保持部材３は、金属製である。保持部材３は、図１及び図２に示すように、Ｘ軸方向において複数の蓄電素子１０を挟む一対の終端部材３０と、該一対の終端部材３０を連結する一対のフレーム（導電性部材）３１とを備える。本実施形態の保持部材３は、蓄電装置１が電池パック（複数の蓄電装置１を備える電源装置）等の取り付けの対象機器に配置されるときに、該対象機器に対して固定される部位である。
【００６２】
一対の終端部材３０のそれぞれは、外部スペーサ２Ｂと対向する第一面と、該第一面とは反対側の第二面とを有する。一対の終端部材３０のそれぞれは、外部スペーサ２Ｂのベース２０Ｂから延びる第一突出部２４Ｂに当接する圧接部３００を有する。
【００６３】
終端部材３０は、蓄電素子１０の蓋板１２１と対応する位置に配置される第一端と、該第一端とは反対側の第二端であって、蓄電素子１０の閉塞部１２３と対応する位置に配置される第二端とを有する。また、終端部材３０は、蓄電素子１０の一方の第二壁１２６と対応する位置に配置される第三端と、該第三端とは反対側の第四端であって、蓄電素子１０の他方の第二壁１２６と対応する位置に配置される第四端とを有する。
【００６４】
これに伴い、終端部材３０は、第一端と第三端とが接続される部分である第一角部と、第一端と第四端とが接続される部分である第二角部とを有する。また、終端部材３０は、第二端と第三端とが接続される部分である第三角部と、第二端と第四端とのそれぞれが接続される部分である第四角部とを有する。
【００６５】
各フレーム３１は、一対の終端部材３０を連結するように延びる第一接続部３１０と、第一接続部３１０とＺ軸方向の異なる位置において一対の終端部材３０を連結するように延びる第二接続部３１１とを有する。第一接続部３１０は、Ｘ軸方向に延び且つＺ軸方向において蓄電素子１０の蓋板１２１と対応する位置に配置される。第二接続部３１１は、Ｘ軸方向に延び且つＺ軸方向において蓄電素子１０の閉塞部１２３と対応する位置に配置される。
【００６６】
また、フレーム３１は、Ｚ軸方向に延び且つ第一接続部３１０と第二接続部３１１との端部同士を接続する一対の支持部３１２を有する。本実施形態のフレーム３１は、Ｚ軸方向に延び、且つ第一接続部３１０と第二接続部３１１との中間部位同士を接続する補強部３１３も有する。また、フレーム３１は、第二接続部３１１から延びる舌片部３１４を有する。
【００６７】
以上のように、本実施形態に係るフレーム３１は、第一接続部３１０と第二接続部３１１との端部同士を支持部３１２が接続することによって枠体状に形成されている。このフレーム３１は、蓄電素子１０とＹ軸方向の一方側において隣り合う位置と、他方側において隣り合う位置とにそれぞれ配置される。
【００６８】
舌片部３１４は、第二接続部３１１から、蓄電素子１０及び内部スペーサ２Ａの少なくとも一方に沿って延びる。本実施形態の舌片部３１４は、Ｘ軸方向における中央位置スペーサ２ＡＡ（第一対向部２１４Ａに凸部２１４０Ａが設けられていない内部スペーサ）の配置位置において、第二接続部３１１から蓄電素子１０の閉塞部１２３（詳しくは、内部スペーサ２Ａの第一対向部２１４Ａ）に沿って延びている。即ち、舌片部３１４は、Ｘ軸方向の略中央位置に配置された内部スペーサ２Ａ（中央位置スペーサ２ＡＡ）を挟んで配置される二つの内部スペーサ２Ａの凸部２１４０Ａ間に配置されている。これにより、舌片部３１４は、Ｘ軸方向の両側に設けられた凸部（内部スペーサ２Ａの一部）２１４０ＡのそれぞれとＸ軸方向において対向している。
【００６９】
具体的に、舌片部３１４は、第二接続部３１１からＹ軸方向に延び且つＸ軸方向に広がる板状の部位である。本実施形態の舌片部３１４は、先端部に、第一対向部２１４Ａに向かって膨出する膨出部３１４０を有する（図８及び図９参照）。膨出部３１４０は、Ｙ−Ｚ面に沿った断面形状が第一対向部２１４Ａに向けて膨出した円弧状となる部位である。
【００７０】
この舌片部３１４は、第一対向部２１４Ａに押し付けられている。詳しくは、舌片部３１４は、蓄電素子１０及び内部スペーサ２Ａの配置されていない状態では、図８に示すように、膨出部３１４０が、Ｙ軸方向に真っ直ぐ延びる他の部位（舌片部３１４における膨出部３１４０を除いた部位）より蓄電素子１０及び内部スペーサ２Ａの配置領域Ｓに向けて突出するように構成されている。即ち、膨出部３１４０は、蓄電素子１０及び内部スペーサ２Ａのない状態では、前記他の部位より配置領域Ｓ近傍に位置し、又は、配置領域Ｓ内に位置している。このため、舌片部３１４は、蓄電素子１０及び内部スペーサ２Ａが配置領域Ｓに配置される（即ち、蓄電装置１が組み立てられる）と、先端部（詳しくは、膨出部３１４０）が図９に示すように内部スペーサ２Ａの第一対向部２１４Ａによって押されて舌片部３１４の基部（第二接続部３１１との接続部位）及びその周辺が弾性変形し（図９に示す例では、舌片部３１４の先端部が押し下げられ弾性変形し）、この弾性変形によって生じた弾発力（弾性復帰力）によって、第一対向部２１４Ａに押し付けられる。
【００７１】
インシュレータ４は、Ｘ軸方向に並ぶ複数の蓄電素子１０及び複数の内部スペーサ２Ａとフレーム３１（保持部材３）との間に配置される本体部４０と、本体部４０から延び且つフレーム３１の舌片部３１４を覆う延出部４５と、を有する。このインシュレータ４（詳しくは、本体部４０）は、フレーム３１に沿った溝が形成され、該溝にフレーム３１が嵌め込まれることで該フレーム３１と係合している。そして、インシュレータ４は、フレーム３１を含む保持部材３が取り付けの対象機器に固定されることによって、該対象機器に対して固定される。即ち、インシュレータ４は、取り付けの対象機器に対して間接に（具体的には、保持部材３を介して）固定される。
【００７２】
本体部４０は、Ｘ軸方向に延び且つ第一接続部３１０と蓄電素子１０及び内部スペーサ２Ａとの間に配置される第一絶縁部４１と、Ｘ軸方向に延び且つ第二接続部３１１と蓄電素子１０及び内部スペーサ２Ａとの間に配置される第二絶縁部４２とを有する。また、インシュレータ４は、Ｚ軸方向に延び且つ第一絶縁部４１と第二絶縁部４２とを接続する一対の第三絶縁部４３を有する。この一対の第三絶縁部４３のそれぞれは、フレーム３１の支持部３１２と、蓄電素子１０及び外部スペーサ２Ｂの少なくとも一方との間に配置される。さらに、インシュレータ４は、Ｚ軸方向に延び且つ第一絶縁部４１と第二絶縁部４２との中間部位同士を接続する第四絶縁部４４を有する。この第四絶縁部４４は、フレーム３１の補強部３１３と蓄電素子１０及び内部スペーサ２Ａの少なくとも一方との間に配置される。
【００７３】
延出部４５は、舌片部３１４に沿った形状を有し、舌片部３１４に生じている弾発力によって、蓄電素子１０及び内部スペーサ２Ａの少なくとも一方に押し付けられている。即ち、延出部４５は、第二絶縁部４２から蓄電素子１０及び内部スペーサ２Ａの少なくとも一方に沿って延び、且つ、この蓄電素子１０及び内部スペーサ２Ａの少なくとも一方に押し付けられた状態で、Ｘ軸方向の両側に設けられた凸部２１４０ＡのぞれぞれとＸ軸方向において対向する。この延出部４５は、Ｘ軸方向に隣り合う凸部２１４０Ａと当接している、又は、僅かな間隔をあけて対向している。
【００７４】
以上の蓄電装置１によれば、蓄電装置１にＸ軸方向の加速度（加速度成分）が生じたときに、Ｘ軸方向に対向する延出部４５と内部スペーサ２Ａの凸部（中央位置スペーサ２ＡＡと隣り合う内部スペーサ２Ａの一部）２１４０Ａとが当接する（又は当接している）。例えば具体的には、図６において、上方側への負の加速度（加速度成分）が生じたときに、延出部４５と、該延出部４５の上方側に位置する内部スペーサ２Ａの凸部２１４０Ａとが当接する（又は当接している）。これにより、延出部４５と当接する（又は当接している）内部スペーサ２Ａより加速度方向側（図６における下方側）に配置された蓄電素子１０によって生じる力（例えば、慣性力）を、インシュレータ４（本実施形態の例では、インシュレータ４を介して金属製の保持部材３（フレーム３１））に受けさせるとこができる。その結果、Ｘ軸方向の端部に配置された蓄電素子１０に加わる前記加速度に起因する力を抑えることができる。尚、本実施形態において、加速度方向とは、正（プラス）の加速度の向きをいう。
【００７５】
しかも、本実施形態の蓄電装置１では、延出部４５が中央位置スペーサ２ＡＡ（第一対向部２１４Ａ）に押し付けられているため、加速度が生じたときに、延出部４５が、押し付けられている中央位置スペーサ２ＡＡから離間する方向にずれ難い。これにより、延出部４５とＸ軸方向に当接する内部スペーサ２Ａ（中央位置スペーサ２ＡＡと隣り合う内部スペーサ２Ａ）の凸部２１４０Ａが低くても（第一対向部２１４Ａからの突出寸法が小さくても）、蓄電装置１にＸ軸方向の加速度（加速度成分）が生じたときに該凸部２１４０Ａから該延出部４５が外れ難い。
【００７６】
また、本実施形態の蓄電装置１においてＸ軸方向における一方側及び他方側のいずれに向いた加速度（加速度成分）が生じても、延出部４５がＸ軸方向の両側に配置される凸部２１４０Ａのいずれかと当接する（又は当接している）。このため、延出部４５と当接する（又は当接している）内部スペーサ２Ａより加速度方向側に配置された蓄電素子１０によって生じる前記加速度に起因する力を、インシュレータ４に受けさせることができる。
【００７７】
また、本実施形態の蓄電装置１では、該蓄電装置１が、Ｘ軸方向が略水平方向となり且つ延出部４５が略上方に向けて蓄電素子１０及び中央位置スペーサ２ＡＡの少なくとも一方に押し付けられる姿勢で配置されたときに、Ｘ軸方向に並ぶ複数の蓄電素子１０のうちの途中位置にある蓄電素子１０（中央位置スペーサ２ＡＡと隣り合う蓄電素子１０）が延出部４５によって直接又は間接に下方から支持される。これにより、一対の終端部材３０によって挟まれた蓄電素子１０の列（Ｘ軸方向に並ぶ複数の蓄電素子１０）の途中位置の下方への垂れを防ぐことができる。
【００７８】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７９】
上記実施形態の蓄電装置１では、延出部４５が中央位置スペーサ２ＡＡ（内部スペーサ２Ａ）に押し付けられているがこの構成に限定されない。例えば、延出部４５は、蓄電素子１０に押し付けられてもよく、蓄電素子１０及び内部スペーサ２Ａのそれぞれに押し付けられる構成等でもよい。
【００８０】
上記実施形態の蓄電装置１では、Ｙ軸方向の一方側の本体部４０から延びる延出部４５と他方側の本体部４０から延びる延出部４５とは、独立しているが、この構成に限定されない。Ｙ軸方向の一方側の本体部４０から延びる延出部４５と他方側の本体部４０から延びる延出部４５とが一体となった（連続している）構成でもよい。また、延出部４５は、Ｙ軸方向の一方側の本体部４０及び他方側の本体部４０のいずれか一方のみから延びる構成でもよい。
【００８１】
上記実施形態の蓄電装置１では、中央位置スペーサ２ＡＡを除く全ての内部スペーサ２Ａが凸部２１４０Ａを有しているが、この構成に限定されない。例えば、蓄電素子１０の閉塞部１２３全体が内部スペーサ２Ａ（上記実施形態の例では第一対向部２１４Ａ）によって覆われている構成の場合、凸部２１４０Ａは、少なくとも中央位置スペーサ２ＡＡのＸ軸方向の両隣の内部スペーサ２Ａに設けられていればよい。また、蓄電素子１０の閉塞部１２３の全体又は一部が露出している構成の場合、凸部２１４０Ａは、少なくとも延出部４５とＸ軸方向において隣り合う位置の蓄電素子１０又は内部スペーサ２Ａに設けられていればよい。即ち、凸部２１４０Ａは、少なくとも延出部４５とＸ軸方向に隣接する領域に設けられていれば、蓄電素子１０と内部スペーサ２Ａとのいずれに設けられてもよい。尚、延出部４５が蓄電素子１０に設けられた凸部２１４０Ａと当接する構成では、蓄電装置１にＸ軸方向の加速度（加速度成分）が生じたときに、Ｘ軸方向に対向する延出部４５と蓄電素子１０の凸部（蓄電素子１０の一部）２１４０Ａとが当接する（又は当接している）。これにより、この延出部４５と当接する（又は当接している）蓄電素子１０及び該蓄電素子１０より加速度方向側に配置された蓄電素子１０によって生じる力（例えば、慣性力）を、インシュレータ４に受けさせるとこができる。その結果、蓄電装置１にＸ軸方向の加速度（加速度成分）が生じたときのＸ軸方向の端部に配置された蓄電素子１０に加わる前記加速度に起因する力を抑えることができる。
【００８２】
上記実施形態の蓄電装置１では、凸部２１４０Ａは、内部スペーサ２Ａに設けられているが、外部スペーサ２Ｂに設けられてもよい。
【００８３】
また、凸部２１４０Ａの具体的な形状は、限定されない。例えば、上記実施形態の凸部２１４０Ａは、円柱（円盤）形状であるが、角柱、半球状等であってもよい。即ち、凸部２１４０Ａは、延出部４５がＸ軸方向にずれたとき（又は、ずれようとしたときに）、該延出部４５とＸ軸方向において当接することにより該延出部４５のＸ軸方向の移動を抑えることができる凸形状であればよい。
【００８４】
上記実施形態の蓄電装置１では、延出部４５の内部にフレーム３１の一部（舌片部３１４）が配置される構成であるが、この構成に限定されない。延出部４５は、内部にフレームの一部が配置されない構成であってもよい。この場合、延出部４５は、蓄電装置１にＸ軸方向の加速度（加速度成分）が生じ、これにより、凸部２１４０Ａ等から力が加わったときに、該凸部２１４０Ａ等が設けられた内部スペーサ２Ａ又は蓄電素子１０のＸ軸方向の移動を阻止できる剛性を有していればよい。
【００８５】
また、延出部４５の具体的な形状は、限定されない。延出部４５は、本体部４０から蓄電素子１０及び内部スペーサ２Ａの少なくとも一方に沿って延び、且つこの蓄電素子１０及び内部スペーサ２Ａの少なくとも一方に押し付けられた状態で、蓄電素子１０又は内部スペーサ２Ａの一部（凸部２１４０Ａ等）と第一方向において対向する形状であればよい。
【００８６】
上記実施形態の蓄電装置１では、中央位置スペーサ２ＡＡを挟んで両側に配置される内部スペーサ２Ａに凸部２１４０Ａが設けられているが、この構成に限定されない。例えば、Ｘ軸方向に並ぶ複数の内部スペーサ２Ａを挟んで両側に配置される内部スペーサ２Ａのそれぞれに凸部２１４０Ａが設けられてもよい。この場合、延出部４５は、凸部２１４０Ａ間の間隔と対応するＸ軸方向の寸法を有する。
【００８７】
また、凸部２１４０Ａは、延出部４５のＸ軸方向における一方側のみに設けられてもよい。かかる構成によっても、蓄電装置１にＸ軸方向の他方側への加速度（加速度成分）が生じたときに、該凸部２１４０Ａよりも他方側の蓄電素子１０に生じる前記加速度に起因する力が前記一方側の端部に配置された蓄電素子１０に加わるのを抑えることができる。
【００８８】
また、上記実施形態の蓄電装置１では、Ｘ軸方向において、凸部２１４０Ａ間に延出部４５が位置することで、Ｘ軸方向の加速度（加速度成分）が生じたときの該加速度に起因する力の一部をインシュレータ４（上記実施形態では、インシュレータ４を介して保持部材３）に受けさせ、これにより、Ｘ軸方向の端部に配置された蓄電素子１０に加わる前記力を抑える構成であるが、この構成に限定されない。
【００８９】
例えば、蓄電装置１において、図１０に示すように、延出部４５及び内部スペーサ２Ａの一方が、延出部４５の押し付けられる方向に窪む凹部６０を有し、延出部４５及び内部スペーサ２Ａの他方が、延出部４５の押し付けられる方向に延びて凹部６０に入り込む凸部６１を有する構成でもよい。また、蓄電装置１において、図１１に示すように、延出部４５及び内部スペーサ２Ａの一方が、延出部４５の延びる方向に窪む凹部６２を有し、延出部４５又は内部スペーサ２Ａの他方が、延出部４５の押し付けられる方向に延びて凹部６２に入り込む凸部６３を有する構成等でもよい。
【００９０】
これらの構成によっても、蓄電装置１においてＸ軸方向における一方側及び他方側のいずれに向いた加速度（加速度成分）が生じても、凹部６０、６２に入り込んでいる凸部６１、６３がＸ軸方向において該凹部６０、６２の内面と当接する（又は当接している）ため、延出部４５の凸部６１、６３が入り込む凹部６０、６２（又は延出部４５の凹部６０、６２に入り込む凸部６１、６３）を有する内部スペーサ２Ａより加速度方向側に配置された蓄電素子１０によって生じる前記加速度に起因する力を、インシュレータ４に受けさせることができる。
【００９１】
上記実施形態の蓄電装置１では、延出部４５と凸部２１４０Ａとは、Ｚ軸方向に延びる面同士がＸ軸方向に対向する構成であるが、この構成に限定されない。例えば、延出部４５と凸部２１４０Ａとは、図１０に示すように、Ｚ軸方向及びＸ軸方向に対して傾斜した面同士がＸ軸方向に対向する構成でもよい。
【００９２】
舌片部３１４及び延出部４５の具体的な形状は、限定されない。例えば、上記実施形態の蓄電装置１では、舌辺部３１は、蓄電素子１０及び内部スペーサ２Ａが配置領域Ｓに配置されることで、舌片部３１４の膨出部３１４０が第一対向部２１４Ａに押されて（図９に示す例では下方に押し下げられて）弾性変形し、この弾性変形によって生じた弾発力によって第一対向部２１４Ａに押し付けられているが、この構成に限定されない。舌片部３１４は、例えば、図１２に示すように、配置領域Ｓに向け且つＹ軸方向に対して傾斜した状態で第二接続部３１１から真っ直ぐ延びてもよい。即ち、舌片部３１４は、膨出部３１４０が無く、蓄電素子１０及び内部スペーサ２Ａの配置されていない状態では、先端部が配置領域Ｓ内に位置し又は配置領域Ｓ近傍に位置するように第二接続部３１１からＹ軸方向に対して傾斜した方向に真っ直ぐ延びてもよい。かかる構成によっても、舌片部３１４は、蓄電素子１０及び内部スペーサ２Ａが配置領域Ｓに配置されると、図１３に示すように、内部スペーサ２Ａの第一対向部２１４Ａによって押されて弾性変形し、この弾性変形によって生じた弾発力によって第一対向部２１４Ａに押し付けられる。
【００９３】
上記実施形態の蓄電装置１は、一対のフレーム３１が終端部材３０によって互いに接続（連結）された状態で電池パック等の取り付けの対象機器に固定されるが、この構成に限定されない。例えば、一対のフレーム３１が他の部材等によって互いに接続（連結）されていない状態で、取り付けの対象機器に固定される構成であってもよい。
【００９４】
上記実施形態の蓄電装置１では、内部スペーサ２Ａのベース２０Ａは、隣り合う蓄電素子１０との間に通風路を形成するが、この構成に限定されない。ベース２０Ａは、例えば、隣り合う蓄電素子１０と密接する形状（平板形状）等でもよい。
【符号の説明】
【００９５】
１…蓄電装置、２Ａ…内部スペーサ、２０Ａ…ベース、２００Ａ…第一当接部、２０１Ａ…第二当接部、２０２Ａ…連接部、２１Ａ…規制部、２１１Ａ…第一規制部、２１２Ａ…第二規制部、２１３Ａ…第三規制部、２１４Ａ…第一対向部、２１４０Ａ…凸部、２１５Ａ…第二対向部、２ＡＡ…中央位置スペーサ（内部スペーサ）、２Ｂ…外部スペーサ、２０Ｂ…ベース、２１Ｂ…規制部、２１１Ｂ…第一規制部、２１２Ｂ…第二規制部、２１３Ｂ…第三規制部、２４Ｂ…第一突出部、２０１Ｂ…第二突出部、３…保持部材、３０…終端部材、３００…圧接部、３１…フレーム、３１０…第一接続部、３１１…第二接続部、３１２…支持部、３１３…補強部、３１４…舌片部、３１４０…膨出部、４…インシュレータ、４０…本体部、４１…第一絶縁部、４２…第二絶縁部、４３…第三絶縁部、４４…第四絶縁部、４５…延出部、５…バスバ、１０…蓄電素子、１１…電極体、１２…ケース、１２０…ケース本体、１２１…蓋板、１２３…閉塞部、１２４…胴部、１２５…第一壁、１２６…第二壁、１３…外部端子、１４…集電体、１５…絶縁部材、６０、６２…凹部、６１、６３…凸部、Ｓ…配置領域
【図１】
0006631869.tif 000002
【図２】
0006631869.tif 000003
【図３】
0006631869.tif 000004
【図４】
0006631869.tif 000005
【図５】
0006631869.tif 000006
【図６】
0006631869.tif 000007
【図７】
0006631869.tif 000008
【図８】
0006631869.tif 000009
【図９】
0006631869.tif 000010
【図１０】
0006631869.tif 000011
【図１１】
0006631869.tif 000012
【図１２】
0006631869.tif 000013
【図１３】
0006631869.tif 000014